(57)【要約】【課題】番組の本編、ＣＭの放送素材を収録し、且つ収録された本編及びＣＭの放送素材をオンエア時に送出する放送番組送出システムで放送素材の事前プレビューをする場合、プレビュー専用端末を用いずに、放送局の各従業員に割り当てられた端末（以下、汎用端末と称する）で行うことができるようにすると共に、不具合画像を見落とすなく簡単に事前プレビューすることができるようにすることを目的とする。【解決手段】ＶＴＲに格納されている番組の本編、ＣＭの放送素材をビデオサーバに収録するとき、これらの放送素材からそれぞれ生成した静止画像をデータサーバから送出された放送順リストに従って配信サーバに取り込むことにより、ネットワークを介して各汎用端末から配信サーバに対してプレビュー要求があったとき、放送順リストに従って、各本編、各ＣＭの静止画像を並べて各汎用端末の表示画面に表示する。【選択図】図１
2007060240.tif 000002
【特許請求の範囲】
【請求項１】
放送に用いる複数の放送素材をビデオサーバに収録しておき、オンエア時に前記ビデオサーバに収録された前記各放送素材を放送順序に従って読み出して送出する放送番組送出装置の事前プレビュー方法において、
前記放送素材毎に該放送素材を代表する少なくとも一つの画像を各々の放送素材の代表画像として抽出し、該抽出した前記各代表画像を配信サーバに格納し、
前記各放送素材の前記各代表画像を、前記配信サーバにネットワークを介して少なくとも１つ接続された汎用端末が読み出し、放送順に前記各代表画像を並べて前記汎用端末の表示画面に表示することを特徴とする事前プレビュー方法。
【請求項２】
請求項１記載の放送番組送出装置の事前プレビュー方法において、
前記抽出した各代表画像を、該各代表画像の送出時刻と各々関連付けて前記配信サーバに格納し、
前記各代表画像の送出時刻を、前記汎用端末が前記各代表画像と共に読み出し、前記各代表画像と関連付けて前記汎用端末の表示画面に前記各代表画像の送出時刻を表示することを特徴とする事前プレビュー方法。
【請求項３】
請求項１乃至２記載の放送番組送出装置の事前プレビュー方法において、
前記汎用端末から事前プレビュー要求があったとき、前記配信サーバは前記各放送素材の前記各代表画像を前記汎用端末に送出することを特徴とする事前プレビュー方法。
【請求項４】
放送に用いる複数の放送素材をビデオサーバに収録しておき、オンエア時に前記ビデオサーバに収録された前記各放送素材を放送順序に従って読み出して送出する放送番組送出装置の事前プレビュー方法において、
前記各放送素材を前記ビデオサーバに収録するときより低レートで配信サーバに格納し、該格納した放送素材を、前記配信サーバにネットワークを介して少なくとも１つ接続された汎用端末が読み出し、該読み出した放送素材の再生画像を前記汎用端末の表示画面に表示することを特徴とする事前プレビュー方法。
【請求項５】
請求項４記載の放送番組送出装置の事前プレビュー方法において、
前記汎用端末から事前プレビュー要求があったとき、前記配信サーバは低レートで格納された前記放送素材を前記汎用端末に送出することを特徴とする事前プレビュー方法。
【発明の詳細な説明】
【技術分野】
【０００１】
本発明は、複数の放送素材データ（映像データ）が記憶されたランダムアクセス方式の記憶装置（例えば、ビデオサーバ）から放送素材データを読み出して放送に供する放送番組送出装置に係り、更に詳しくは、放送番組送出装置において、放送する番組の順序の確認や記憶装置に放送素材データが正しく記憶されたか否かの事前確認（以下、事前プレビューと称する）に関するものである。
【背景技術】
【０００２】
以下、従来の放送番組送出装置の事前プレビュー方法について説明する。一般に、番組の放送素材には、複数の本編素材と複数のＣＭ素材を有することにより、本編素材、ＣＭ素材はそれぞれ本編素材用記憶装置、ＣＭ素材用記憶装置に記憶されている。従って、事前プレビューする場合、本編素材用記憶装置、ＣＭ素材用記憶装置にそれぞれ接続されたプレビュー専用端末により、本編素材だけで事前プレビューするかもしくはＣＭ素材だけで事前プレビューしていた。このため、実際の放送進行に沿った本編、ＣＭを通しての事前確認を行うことができなかった。
【０００３】
しかし、一般に、収録済みの番組等を放送する場合には、番組等の放送順序が非常に重要な意味を持ち、その放送された番組等の順序に誤りが有ったときには放送事業者に多大な影響を及ぼすことがあることにより、実際の放送進行に沿った事前確認を行うことができるようにすることが必要である。
【０００４】
なお、放送素材の事前プレビューに関する公開公報を調査したところ、複数の別々の映像／音声素材記憶装置を、実際の放送進行データに従ってオンエアを行う自動番組送出装置で、放送進行データの送出時刻から指定時間マイナスした時刻の事前確認用制御データに従って複数の映像／音声素材記憶装置のオンエア制御を行うと共に、事前確認用制御データに従ってオンエアする映像／音声素材を放送休止時間中に事前プレビューする技術が公開されていた（特許文献１参照）。この技術を用いることにより、オンエア時刻前の放送休止時間に、実際の放送進行データに従って送出される映像／音声素材を用いて事前確認を行うことができる。
【特許文献１】特開平１０−３２２２９５号公報
【発明の開示】
【発明が解決しようとする課題】
【０００５】
前述の従来の放送番組送出装置の事前プレビュー方法では、本編素材だけもしくはＣＭ素材だけで、プレビュー専用端末でオンエア予定の映像（動画像）を見ながら事前プレビューを行っていたことにより、実際の放送進行に沿った本編、ＣＭを通しての事前確認を行うことができなかった。実際の放送進行に沿った事前確認を行えるようにするために、放送進行データの送出時刻から指定時間マイナスした時刻の事前確認用制御データに従ってオンエア制御される各映像／音声素材記憶装置からの映像／音声素材を事前プレビューする技術（特許文献１）はあるものの、この技術では各映像／音声素材記憶装置に接続された端末（以下、プレビュー専用端末と称する）でしか事前プレビューを行うことができなかった。その結果、操作者は、プレビュー専用端末を設置した部屋に行かなければ、事前プレビューすることができないという欠点がある。更に、このプレビュー専用端末を他の操作者が使用していた場合、他の操作者が事前プレビューを終了しない限り、操作者が事前プレビューすることができないという欠点がある。特に、他にも事前プレビューしたい操作者がいる場合には、順番待ちを強いられるという欠点がある。
【０００６】
そこで本発明では、前述の欠点を除去することにより、プレビュー専用端末を用いなくても操作者が事前プレビューすることができるようにすることを目的とする。
【課題を解決するための手段】
【０００７】
本発明は、前述の目的を達成するために、放送に用いる複数の放送素材をビデオサーバに収録しておき、オンエア時に前記ビデオサーバに収録された前記各放送素材を放送順序に従って読み出して送出する放送番組送出装置の事前プレビュー方法において、前記放送素材毎に該放送素材を代表する少なくとも一つの画像を各々の放送素材の代表画像として抽出し、該抽出した前記各代表画像を配信サーバに格納し、前記各放送素材の前記各代表画像を、前記配信サーバにネットワークを介して少なくとも１つ接続された汎用端末が読み出し、放送順に前記各代表画像を並べて前記汎用端末の表示画面に表示するようにしたものである。
【０００８】
更に詳しくは、前記抽出した各代表画像配信サーバに格納するとき、前記各代表画像の送出時刻と各々関連付けて前記配信サーバに格納し、前記各代表画像の送出時刻を、前記汎用端末が前記各代表画像と共に読み出し、前記各代表画像の送出時刻を前記各代表画像と関連付けて前記汎用端末の表示画面に前記各代表画像の送出時刻を表示するようにしたものである。
【０００９】
更に詳しくは、前記汎用端末から事前プレビュー要求があったとき、前記配信サーバは前記各放送素材の前記各代表画像を前記汎用端末に送出することにより、送出された前記各代表画像を放送順に並べて前記汎用端末の表示画面に表示するようにしたものである。
【００１０】
または、放送に用いる複数の放送素材をビデオサーバに収録しておき、オンエア時に前記ビデオサーバに収録された前記各放送素材を放送順序に従って読み出して送出する放送番組送出装置の事前プレビュー方法において、前記各放送素材を前記ビデオサーバに収録するときより低レートで配信サーバに格納し、該格納した放送素材（実施例では、各低レート素材）を、前記配信サーバにネットワークを介して少なくとも１つ接続された汎用端末が読み出し、該読み出した放送素材の再生画像を前記汎用端末の表示画面に表示するようにしたものである。
【００１１】
更に詳しくは、前記汎用端末から事前プレビュー要求があったとき、前記配信サーバは低レートで格納された前記各放送素材を前記汎用端末に送出することにより、送出された放送素材の再生画像を前記汎用端末の表示画面に表示するようにしたものである。
【発明の効果】
【００１２】
以上説明したように本発明によれば、各放送素材の代表画像（実施例では、静止画像）もしくは低レートで格納された各放送素材が配信サーバから汎用端末にネットワーク配信されることにより、汎用端末に配信されるデータ量はプレビュー専用端末に配信されるデータ量に比べて少なくしているものの、汎用端末で事前プレビューすることができる。即ち、プレビュー専用端末を用いなくても事前プレビューすることができるため、他の操作者がプレビュー専用端末を使用中でも事前プレビューすることができる。そして、ネットワーク配信された各放送素材の代表画像を、放送順序に従って汎用端末の表示画面に一覧表示するようにした場合、従来のオンエア映像を見ながら事前プレビューするときのように、時間経過と共に表示される映像が消えてしまうことがないため、番組の順序、内容、画像品質に問題があるのを操作者が見落とすという不具合を除去することができる。更に、ＣＭ素材の代表画像とこのＣＭ素材に係る番組の本編素材の代表画像とを見比べることにより、ＣＭ素材が番組と整合しているか否かを操作者が見落とすことなく、簡単にチェックすることができる。
【発明を実施するための最良の形態】
【００１３】
以下、本発明の第一実施例である放送番組送出装置の事前プレビュー方法について、図面を用いて詳細に説明する。図１は第一実施例の放送番組送出装置の構成を示すブロック図である。図１において、１０１は、放送局の営業、編成、放送までを一貫して管理するＥＤＰＳ（Electronic Data Processing System）端末であり、プレイリスト（放送スケジュールに関する情報で、この情報の詳細については、後で詳述する）を送出する。１０２は、ＥＤＰＳ端末１０１から送出されたプレイリストを記憶するデータサーバである。１０３は、編集済みの番組本編素材（以下、本編素材と称する）、ＣＭ素材等の放送素材が記録されているビデオテープがセットされたＶＴＲである。１０４は、ＶＴＲ１０３から送出された本編素材、ＣＭ素材等の放送素材を記憶すると共に記憶された放送素材をオンエア時に送出するビデオサーバである。このビデオサーバ１０４は、ランダムアクセス方式で映像信号や音声信号を記憶し、再生することができる記憶装置であり、例えば、磁気テープ等で構成される。１０５は、ＶＴＲ１０３から送出された放送素材を低レート素材に変換する低レート素材変換部である。１０６は、低レート素材変換部１０５で生成された低レート素材を記憶する配信サーバである。１０７は、ＶＴＲ１０３、ビデオサーバ１０４、低レート素材変換部１０５、配信サーバ１０６を制御することにより、ＶＴＲ１０３から放送素材を送出させてビデオサーバ１０４にこの放送素材を記憶させると共に、低レート素材変換部１０５でＶＴＲ１０３から送出された放送素材を低レート素材に変換させて配信サーバ１０６に記憶させる登録コントローラである。１０８は、操作者が所定の操作を行ったとき、ＶＴＲ１０３、ビデオサーバ１０４、低レート素材変換部１０５、配信サーバ１０６の動作を制御する登録コントローラ１０７に指示をだすと共に、ＶＴＲ１０３から送出された放送素材から抽出した各シーンを、放送素材を代表する静止画像として生成し、生成した各静止画像に対して放送の送出順序に従って番号（以下、シーン順序番号と称する）を割り当てる登録端末である。なお、登録端末１０８で生成された各静止画像は、シーン順序番号に関連付けて配信サーバ１０６に記憶される。１０９は、ＬＡＮ（local area network）である。１１０Ａ、１１０Ｂ、１１０Ｃ、１１０Ｄは、ネットワーク１０９を介して配信サーバ１０６と接続される汎用端末である。なお、汎用端末の個数は、本実施例の場合、４個であるが、本発明は４個に限定されるものではなく、３個以下もしくは５個以上でも良い。
【００１４】
登録コントローラ１０７は、制御プログラムを格納したメモリ（図示せず）と、中央処理ユニット（図示せず）を有し、登録コントローラ１０７に接続されるＶＴＲ１０３、ビデオサーバ１０４、低レート素材変換部１０５、配信サーバ１０６、登録端末１０８を制御プログラムに従って制御するコンピュータである。登録コントローラ１０７のメモリ（図示せず）は、例えば、後で詳述する図２に示されたフローチャートの制御プログラムを格納しており、このフローチャートで記述された動作が実行されるように働く。登録コントローラ１０７の制御プログラムを実行することにより、ＶＴＲ１０３により再生された放送素材はビデオサーバ１０４に記憶されると共に、この放送素材から登録端末１０８により生成された静止画像と、低レート素材変換部１０５により放送素材を低レート変換することで生成された低レート素材とが配信サーバ１０７に記憶される。なお、登録コントローラ１０７の制御プログラムを実行することによる各部の動作については、後で詳述する。
【００１５】
まず、ＥＤＰＳ端末１０１からデータサーバ１０２に送出されるプレイリストの内容について説明する。プレイリストは、各番組に関する情報として、（１）放送順序に従って各番組に割り当てられた番組番号、（２）各番組の送出開始時刻、（３）各番組の放送時間、（４）各番組の番組内容により構成されており、放送素材に関する情報として、（５）番組を構成する各放送素材に対して、放送順序に従って割り当てられた放送素材番号、（６）各放送素材の送出開始時刻、（７）各放送素材の放送時間、（８）各放送素材の放送素材内容により構成されている。このプレイリストの例を、図３に示す。プレイリストがＥＤＰＳ端末１０１からデータサーバ１０２に送出された際、図３に示す各データが関連付けられてデータサーバ１０２に記憶されると共に、データサーバ１０２を経由して登録端末１０８にも送出される。そして、登録端末１０８には、図３の通り、プレイリストが表示される。なお、マーキングされた番組３０１は、番組番号が１０番、送出開始時刻が１８時、放送時間が１時間、番組の放送内容がドキュメンタリー「ＸＹＺ」であることを示しており、マーキングされた放送素材３０２は、ＣＭ素材であり、放送素材番号が１００５番、送出開始時刻が１８時６分３０秒、放送時間が３０秒、放送素材の放送素材内容が「○×薬品のバスソルトのＣＭ」であることを示している。
【００１６】
次に、登録コントローラ１０７の制御プログラムを実行することによる各部の動作について、図２を用いて説明する。図２は、制御プログラムを実行させたときの登録コントローラ１０７の動作を示すフローチャートである。前述の通り、制御プログラムを実行することにより、各放送素材がビデオサーバ１０４に記憶され、各放送素材のそれぞれの代表画像である静止画像と、各放送素材を低レート変換して生成した各低レート素材とが配信サーバ１０６に記憶される。なお、放送素材がビデオサーバ１０４に記憶される度に、ビデオサーバ１０４内のどこに記憶されたかを示す記憶アドレス情報が、ビデオサーバ１０４に記憶された放送素材の放送素材番号と関連付けてデータサーバ１０２に記憶されると共に、ビデオサーバ１０４への放送素材の記憶が終了したことを示す記憶済情報がプレイリストの放送素材番号と関連付けてデータサーバ１０２に記憶される。一方、静止画像、低レート素材を配信サーバ１０６が記憶された場合も同様にして、静止画像、低レート素材が配信サーバ１０６に記憶される度に、配信サーバ１０６内のどこに記憶されたかを示す記憶アドレス情報が、配信サーバ１０６に記憶された放送素材の放送素材番号と関連付けてデータサーバ１０２に記憶されると共に、配信サーバ１０６への静止画像、低レート素材の記憶が終了したことを示す記憶済情報がプレイリストの放送素材番号と関連付けてデータサーバ１０２に記憶される。
【００１７】
以下、制御プログラムを実行したときの登録コントローラ１０７の詳細動作について説明する。図３の通り、登録端末１０８にプレイリストが表示されている状態で放送素材登録ボタン３０３をマウスでクリックすると、登録端末１０８は登録コントローラ１０７に対して制御プログラムを実行するよう指令をだすことにより、登録コントローラ１０７の制御プログラムの実行が開始される。制御プログラムの実行が開始されると、登録コントローラ１０８に対して放送素材選択画面を表示させるよう指令をだす（ステップ２０１）ことにより、図４の通り、登録端末１０８に放送素材選択画面を表示される。操作者は、「登録する放送素材の放送素材番号」入力欄４０１に放送素材番号を入力することにより放送素材番号を選択すると共に、選択した放送素材が記憶されているビデオテープをＶＴＲ１０３にセットする。放送素材の選択及び選択した放送素材が記憶されたビデオテープのセットが行われたことで、放送素材のビデオサーバ１０４への送出準備が完了したとき、決定ボタン４０２をマウスでクリックすると、登録端末１０８は選択した放送素材がビデオサーバ１０４に既に記憶された放送素材であるか否かをチェックする（チェック方法については、後で詳述する）。チェックの結果、選択した放送素材がビデオサーバ１０４に既に記憶された放送素材である場合、登録端末１０８は放送素材選択画面を再度表示することにより、操作者に放送素材の選択を再度行わせる。一方、選択した放送素材がビデオサーバ１０４にまだ記憶されていない放送素材である場合、登録端末１０８は登録中である旨の表示４０３を行うと共に登録コントローラ１０７に対して選択した放送素材の放送素材番号情報、放送時間情報を送出する。
【００１８】
この放送素材番号情報、放送時間情報を登録コントローラ１０７が登録端末１０８より受信する（ステップ２０２）と、放送素材番号情報と放送時間情報を登録コントローラ１０７内のメモリに記憶する（ステップ２０３）と共に、ＶＴＲ１０３、ビデオサーバ１０４、低レート素材変換部１０５、配信サーバ１０６、登録端末１０８に対して、それぞれ動作を開始するよう指令をだす（ステップ２０４）。即ち、ＶＴＲ１０３に対してはセットされているビデオテープに記録された放送素材の再生を開始させる（ステップ２０５）。ビデオサーバ１０４に対しては再生された放送素材の記憶を開始させる（ステップ２０６）。登録端末１０８に対しては再生された放送素材の代表画像である静止画像の生成を開始させる（ステップ２０７）。低レート素材変換部１０５に対しては再生された放送素材からの低レート素材の生成を開始させる（ステップ２０８）。配信サーバ１０６に対しては生成された低レート素材の記憶を開始する（ステップ２０９）。なお、低レート素材の生成は、放送素材の各フレームの画素数を変換することにより行う。本実施例では、６４０（縦画素数）×４８０（横画素数）である放送素材のフレームを、３２０（縦画素数）×２４０（横画素数）のフレームとすることにより、低レート素材に変換する。そして、前述の通り、登録コントローラ１０７内のメモリに再生された放送素材の放送時間情報が記憶されていることにより、ＶＴＲ１０３、ビデオサーバ１０４、低レート素材変換部１０５、配信サーバ１０６、登録端末１０８の動作が開始されてから、再生された放送素材の放送時間以上の時間が経過したのを登録コントローラ１０７が検知した（ステップ２１０）とき、ＶＴＲ１０３、ビデオサーバ１０４、低レート素材変換部１０５、配信サーバ１０６、登録端末１０８に対して、それぞれ動作を停止するよう指令をだす（ステップ２１１）。即ち、ＶＴＲ１０３に対してはセットされているビデオテープに記録された放送素材の再生を停止させる（ステップ２１２）。ビデオサーバ１０４に対しては再生された放送素材の記録を停止させる（ステップ２１３）。登録端末１０８に対しては再生された放送素材から代表画像である静止画像の生成を停止させる（ステップ２１４）。低レート素材変換部１０５に対しては再生された放送素材からの低レート素材の生成を停止させる（ステップ２１５）。配信サーバ１０６に対しては生成された低レート素材の記憶を停止させる（ステップ２１６）。
【００１９】
動作停止後、登録コントローラ１０７は、ビデオサーバ１０４に対してＶＴＲ１０３により再生された放送素材がビデオサーバ１０４内のどこに記憶されたかを示す放送素材記憶アドレス情報を送出させるよう指令をだすと共に、登録端末１０８に対してビデオサーバ１０４からの放送素材記憶アドレス情報を受信して記憶するよう指令をだす（ステップ２１７）。両指令により、ビデオサーバ１０４から送出された放送素材記憶アドレス情報が対応する放送素材番号（前述の放送素材選択時に登録端末１０８の操作者が選択した放送素材の放送素材番号）と関連付けて登録端末１０８内のメモリに記憶される（ステップ２１８）。更に、登録コントローラ１０７は、配信サーバ１０６に対して低レート素材変換部１０５により低レート変換された低レート素材が配信サーバ内のどこに記憶されたかを示す低レート素材記憶アドレス情報を送出させるよう指令をだすと共に、登録端末１０８に対して配信サーバ１０６からの低レート素材記憶アドレス情報を受け取って記憶するよう指令をだす（ステップ２１９）。両指令により、配信サーバ１０６から送出された低レート素材記憶アドレス情報に対応する放送素材番号（前述の放送素材選択時に登録端末１０８の操作者が選択した放送素材の放送素材番号）と関連付けて登録端末１０８内のメモリに記憶される（ステップ２２０）。更に、登録端末１０８は、放送素材番号と関連付けられた放送素材記憶アドレス情報及び低レート素材アドレス情報とをデータサーバ１０２に送出することにより、データサーバ１０２は、放送素材記憶アドレス情報及び低レート素材記憶アドレス情報とを対応する放送素材番号と関連付けて記憶する。そして、放送素材記憶アドレス情報及び低レート素材アドレス情報だけが放送素材番号と関連付けられるだけでなく、放送素材の記憶が終了したことを示す放送素材記憶済情報及び低レート素材の記憶が終了したことを示す低レート素材記憶済情報もそれぞれ対応する放送素材番号と関連付けて登録端末１０８は、登録端末１０８内のメモリ（図示せず）に記憶する。更に、登録端末１０８は、放送素材番号と関連付けられた放送素材記憶済情報及び低レート素材記憶済情報とをデータサーバ１０２に送出することにより、データサーバ１０２は、放送素材記憶済情報と低レート素材記憶済情報を対応する放送素材の放送素材番号とそれぞれ関連付けて記憶する。
【００２０】
例えば、放送素材選択時において図４に示す放送素材登録画面で放送素材番号１００５の「○×薬品のバスソルトのＣＭ」が選択された場合で、この放送素材のビデオサーバ１０４への記憶が完了すると共にこの放送素材を低レート変換した低レート素材の配信サーバ１０６への記憶が完了したとき、データサーバ１０２及び登録端末１０８は、放送素材番号１００５の放送素材のビデオサーバ１０４内での記憶場所（放送素材記憶アドレス）情報及び低レート変換した低レート素材の配信サーバ１０６内の記憶場所（低レート素材記憶アドレス）情報をそれぞれ放送素材番号１００５と関連付けて記憶する。更に、データサーバ１０２及び登録端末１０８は、放送素材番号１００５の放送素材の放送素材記憶済情報及び低レート素材記憶済情報をそれぞれ放送素材番号１００５と関連付けて記憶する。
【００２１】
以上のデータサーバ１０２及び登録端末１０８での記憶アドレス情報（放送素材記憶アドレス情報、低レート素材記憶アドレス情報）及び記憶済情報（放送素材記憶済情報、低レート素材記憶済情報）の記憶動作が終了すると、登録端末１０８は、登録コントローラ１０７に対し、記憶アドレス情報及び記憶済情報の記憶動作が終了したことを報知する記憶動作終了報知信号を送出する。
【００２２】
登録コントローラ１０７は、登録端末１０８からの記憶動作終了報知信号を受信する（ステップ２１１）と、登録端末１０８で放送素材の代表画像として生成、記憶された静止画像を配信サーバ１０６に記憶させるため、登録端末１０８に対して生成した静止画像を送出するよう指令をだすと共に、配信サーバ１０６に対して登録端末１０８から送出された静止画像を受信して記憶するよう指令をだす（ステップ２２２）。この両指令により、配信サーバ１０６は登録端末１０８で生成した静止画像を記憶する（ステップ２２３）。なお、後で詳述するが、登録端末１０８で放送素材の再生映像からシーンが変化した画像を抽出することで生成した静止画像は、例えば、抽出した順序でシーン順序番号が割り当てられていることにより、静止画像は放送順に割り振られたシーン順序番号と関連付けられて配信サーバ１０６に記憶される。静止画像が配信サーバ１０６に記憶された後、登録コントローラ１０７は、配信サーバ１０６に対して配信サーバ１０６内のどこに静止画像が記憶されたかを示す静止画像記憶アドレス情報を対応するシーン順序番号と共に送出するよう指令をだすと共に、登録端末１０８に対して配信サーバ１０６からの静止画像記憶アドレス情報と対応するシーン順序番号を受信して記憶するよう指令をだす（ステップ２２４）。両指令により、配信サーバ１０６から送出された静止画像記憶アドレス情報と対応するシーン順序番号とが登録端末１０８内のメモリに記憶される（ステップ２２５）。更に、登録端末１０８は、配信サーバ１０６から送出された静止画像記憶アドレス情報に対応する放送素材番号（前述の放送素材選択時に登録端末１０８の操作者が選択した放送素材の放送素材番号）とも関連付けて登録端末１０８内のメモリに記憶する。
【００２３】
更に、登録端末１０８は、放送素材番号、シーン順序番号に関連付けられた静止画像記憶アドレス情報をデータサーバ１０２に送出することにより、データサーバ１０２は、静止画像アドレス情報を放送素材番号及びシーン順序番号と関連付けて記憶する。そして、静止画像記憶アドレス情報が放送素材番号及びシーン順序番号と関連付けて記憶するだけでなく、静止画像データの記憶が終了したことを示す静止画像データ記憶済情報を対応する放送素材番号と関連付けて、登録端末１０８は、登録端末１０８内のメモリ（図示せず）に記憶する。更に、登録端末１０８は、放送素材番号と関連付けられた静止画像データ記憶済情報をデータサーバ１０２に送出することにより、データサーバ１０２は、静止画像データ記憶済情報を対応する放送素材の放送素材番号と関連付けて記憶する。以上の動作（ステップ２０１〜ステップ２０５）により、選択した放送素材がビデオサーバ１０４に記憶されると共に、この放送素材から生成した静止画像と、この放送素材を低レート変換して生成した各低レート素材とが配信サーバ１０６に記憶される。
【００２４】
その後、他の放送素材をビデオサーバ１０４に記憶させると共に、他の放送素材から静止画像、低レート素材を生成して配信サーバ１０６に記憶させるか否かを操作者に選択させるため、登録コントローラ１０７は登録端末１０８に放送素材登録続行／終了選択画面を表示させるよう指令をだす（ステップ２２６）ことにより、図５の通り、登録端末１０８に放送素材登録続行／終了選択画面が放送素材登録画面に重ねられて表示される。操作者が放送素材登録終了ボタン５０２をマウスでクリックすることで放送素材登録の終了を操作者が選択した場合（ステップ２２７）には、図３の通り、登録端末１０８にプレイリストが表示された状態に戻すことで、放送素材登録動作を終了する。一方、操作者が放送素材登録続行ボタン５０１をマウスでクリックすることで放送素材登録の続行を選択した場合（ステップ２２７）には、登録端末１０８に放送素材選択画面を表示させる（ステップ２０１）。そして、操作者が放送素材番号を入力して放送素材を選択したこと等により放送素材のビデオサーバ１０４への送出準備が完了したとき、決定ボタン４０２をマウスでクリックすると、登録端末１０８は選択した放送素材がビデオサーバ１０４に既に記憶された放送素材であるか否かを、前述の通り、チェックする。チェックは、入力した放送素材番号と関連付けて記憶された放送素材記憶済情報を有しているか否かを検知することにより行う。入力した放送素材番号と関連付けて記憶された放送素材記憶済情報を有することで既にビデオサーバ１０４に記憶された放送素材であるとき、再度、放送素材選択画面を表示させることで、再度、操作者に放送素材番号を入力させる。逆に、操作者が入力した放送素材番号と関連付けて記憶された放送素材記憶済情報を有していないことでまだビデオサーバ１０４に記憶されていない放送素材があるとき、ステップ２０２〜ステップ２２５の動作を繰り返すことにより、他の放送素材をビデオサーバ１０４に記憶させると共に、他の放送素材から静止画像、低レート素材を生成して配信サーバ１０６に記憶させる。
【００２５】
なお、放送素材選択画面で操作者が誤って既にビデオサーバ１０４に記憶された放送素材を選択しないように、例えば、既にビデオサーバ１０４に記憶された放送素材の各情報（放送素材番号、送出開始時刻、放送時間、放送素材内容）については赤文字で、まだビデオサーバ１０４に記憶されていない放送素材の各情報（放送素材番号、送出開始時刻、放送時間、放送素材内容）については黒文字で表示する等、色分けして表示するようにしても良い。
【００２６】
次に、登録端末１０８による放送素材の代表画像である静止画像の生成、生成した静止画像の配信サーバ１０６への送出について、図６を用いて説明する。図６は、静止画像を生成して送出するときの登録端末１０８の動作を示すフローチャートである。登録端末１０８は、初期設定として、シーン順序番号を０とし（ステップ６０１）、静止画像を生成するための動作を開始する旨の指令の待受状態となる。そして、静止画像を生成するための動作を開始する旨の指令を登録コントローラ１０７から受信した（ステップ６０２、ステップ２０４）とき、ＶＴＲ１０３により再生された放送素材の受信、及び受信した放送素材からの静止画像の生成を開始する（ステップ２０７）。なお、静止画像の生成は、ＶＴＲ１０３の再生画像の中からシーンが変化した画像を抽出することにより行う（シーンが変化した画像の抽出は、例えば、「動画像の変化点検出方法」と題する特開平４−１１１１８１号公報に開示された、隣り合うフレーム画像間の特徴量の相関係数変化率をサーチして、シーンの変化点を検出する技術を用いて行うことができる。放送素材は、前後の画像同士を比較して、シーンが所定の変化量以上変化した画像と画像の間を境界にして複数のシーンに分割される）。シーンが所定量以上変化した画像を抽出したとき、即ち、シーン変化点を検出したとき（ステップ６０４）、静止画像を生成し（ステップ６０５）、シーン順序番号を０から１に変え（ステップ６０６）、生成した静止画像をシーン順序番号１の静止画像として、登録端末１０８内のメモリ（図示せず）に記憶する（ステップ６０７）。
【００２７】
なお、静止画像を生成するにあたり、後述のネットワーク配信による事前プレビューで静止画像の中の文字まで確認できるようにする場合には、静止画像の横画素数を３２０、縦画素数を２４０とするのに対し、静止画像の放送順での流れを確認できるようにする場合には、静止画像の横画素数を１６０、縦画素数を１２０とする。
【００２８】
シーン順序番号１の静止画像が記憶された後、ＶＴＲ１０３からの再生画像の中からシーンが所定量以上変化した画像を抽出したとき、即ち、シーン変化点を検出したとき（ステップ６０４）、静止画像を生成し（ステップ６０５）、シーン順序番号を１から２に変え（ステップ６０６）、生成した静止画像をシーン順序番号２の静止画像として、登録端末１０３内のメモリ（図示せず）に記憶する（ステップ６０７）。その後、登録コントローラ１０７から静止画像の生成を停止する旨の指令を受ける（ステップ６０３、ステップ２１１）まで、シーンが所定量以上変化した画像を抽出する度に、即ち、シーン変化点を検出する（ステップ６０４）度に、静止画像を生成し（ステップ６０５）、シーン順序番号がＮ−１からＮ（ただし、Ｎ≧３）に変え（ステップ６０６）、生成した静止画像をシーン順序番号Ｎの静止画像として、登録端末１０８のメモリ（図示せず）に記憶する（ステップ６０７）。
【００２９】
静止画像の生成を停止する旨の指令の受信（ステップ６０３、ステップ２１１）後、登録コントローラ１０７から生成した静止画像を送出する旨の指令を受信した（ステップ６０８）とき、配信サーバ１０６にシーン順序番号とシーン順序番号が割り振られた静止画像を送出する（ステップ６０９）。この送出により、静止画像が配信サーバ１０６に記憶された後、登録端末１０８は、配信サーバ１０６からの静止画像記憶アドレス情報と対応するシーン順序番号とを受信して記憶する旨の指令を登録コントローラ１０７より受信し（ステップ６１０、ステップ２２４）、この静止画像記憶アドレス情報と対応するシーン順序番号とを登録端末１０８内のメモリに記憶する（ステップ６１１、ステップ２２５）。更に、登録端末１０８は、シーン順序番号だけでなく、配信サーバ１０６から送出された静止画像記憶アドレス情報に対応する放送素材番号（前述の放送素材選択時に登録端末１０８の操作者が選択した放送素材の放送素材番号）とも関連付けて登録端末１０８内のメモリ（図示せず）に記憶する（ステップ６１１、ステップ２２４）。そして、登録端末１０８は、包装素材番号、シーン順序番号に関連付けられた静止画像記憶アドレス情報をデータサーバ１０２に送出する（ステップ６１２）ことにより、データサーバ１０２は、静止画像記憶アドレス情報を放送素材番号及びシーン順序番号と関連付けて記憶する。また、静止画像記憶アドレス情報が放送素材番号及びシーン順序番号と関連付けて記憶するだけでなく、静止画像の記憶が終了したことを示す静止画像記憶済情報を対応する包装素材番号と関連付けて、登録端末１０８は、登録端末１０８内のメモリ（図示せず）に記憶する（ステップ６１３）。更に、登録端末１０８は、放送素材番号と関連付けられた静止画像記憶済情報をデータサーバ１０２に送出する（ステップ６１４）ことにより、データサーバ１０２は、静止画像記憶済情報に対応する放送素材の放送素材番号と関連付けて記憶する。
【００３０】
以上の登録端末１０８の動作により、例えば、放送素材選択時において図４に示す包装素材登録画面で、放送素材番号１００５の「○×薬品のバスソルトのＣＭ」が選択された場合でこの放送素材から生成した全ての静止画像の配信サーバ１０６への記憶が完了したとき、データサーバ１０２及び登録端末１０８は、放送素材番号１００５の放送素材に関する各静止画像の配信サーバ１０６内の記憶場所（静止画像記憶アドレス）情報を放送素材番号１００５及びシーン順序番号に関連付けて記憶する。例えば、放送素材番号１００５の放送素材の静止画像の枚数が４枚である場合、シーン順序番号は１〜４の値を持つが、同じ放送素材番号１００５の静止画像でもシーン順序番号によって、配信サーバ１０６内での記憶場所（静止画像記憶アドレス）が異なる。更に、データサーバ１０２及び登録端末１０８は、放送素材番号１００５の放送素材の静止画像記憶済情報を放送素材番号１００５と関連付けて記憶する。
【００３１】
次に、配信サーバ１０６に記憶された静止画像、低レート素材を各汎用端末１１０Ａ、１１０Ｂ、１１０Ｃ、１１０Ｄの表示部に表示して事前プレビューするときの各部の動作について説明する。配信サーバ１０６は、ＬＡＮ（local area network）１０９を介して各汎用端末１１０Ａ、１１０Ｂ、１１０Ｃ、１１０Ｄと接続されており、各汎用端末１１０Ａ、１１０Ｂ、１１０Ｃ、１１０Ｄ、配信サーバ１０６はそれぞれを識別するための識別コードであるＩＰ（Internet Protocol）アドレスを有している。従って、各汎用端末１１０Ａ、１１０Ｂ、１１０Ｃ、１１０Ｄの操作者の操作により配信サーバ１０６のＩＰアドレス入力操作を行うことでアクセス先を配信サーバ１０６に指定して事前プレビュー要求を行うと、この事前プレビュー要求はＬＡＮ１０９を介して配信サーバ１０６に送出される。操作者による配信サーバ１０６のＩＰアドレスの入力と事前プレビュー要求が行われた汎用端末（以下、汎用端末１１０Ａで配信サーバ１０６のＩＰアドレスの入力と事前プレビュー要求が行われたものとして説明する。）は、ＬＡＮ１０９を介して配信サーバ１０６へ事前プレビュー要求信号を送出する。配信サーバ１０６は、事前プレビュー要求信号を受信すると、登録端末１０８に対して番組リスト（各番組に関する情報のプレイリスト）送出を要求することによって登録端末１０８から取得した番組リストを、ＬＡＮ１０９を介して汎用端末１１０Ａに送出する。汎用端末１１０Ａは、番組リストを受信すると事前プレビュー番組選択画面（操作者に事前プレビューする番組を選択させるために、図９の通り、番組リスト９０１と共に事前プレビューする番組番号の入力要求メッセージ９０２、番組番号入力欄９０３、決定キーボタン９０４が表示された表示画面）を表示する。表示された事前プレビュー選択画面の番組番号入力欄９０３に、所定の番組番号（例えば、１０）を入力して、決定キー９０４をマウスでクリックすることにより、事前プレビュー番組を選択すると、図１０の通り、事前プレビュー方法選択画面（静止画像による事前プレビューを行うか、低レートであるものの、動画像による事前プレビューを行うかを、操作者に選択させるための表示画面）を表示する。
【００３２】
そして、静止画像表示ボタン１００２をマウスでクリックすることによる静止画像での事前プレビュー選択、もしくは、動画像表示ボタン１００３をマウスでクリックすることによる動画像での事前プレビュー選択が行われたとき、汎用端末１１０Ａは、プレビュー画像受信中である旨の表示１００４を行うと共に、ＬＡＮ１００９を介して配信サーバ１０６へプレビュー画像要求信号を送出する。なお、プレビュー画像要求信号は、画像種別情報と番組番号情報とを含むように構成されていることにより、配信サーバ１０６は、受信したプレビュー画像要求信号から、静止画像による事前プレビューを要求しているのかを検知すると共に、番組番号を検知する。そして、配信サーバ１０６は、検知した画像種別及び番組番号の静止画像の記憶場所（静止画像記憶アドレス）情報もしくは低レート素材の記憶場所（低レート素材記憶アドレス）情報の送出を、即ち、配信サーバ１０６内のどこのアドレスに、事前プレビュー要求された静止画像もしくは低レート素材が記憶されているかの情報の送出を、登録端末１０８に対して要求する。この要求により、取得した記憶場所（記憶アドレス）に記憶された静止画像もしくは低レート素材を、ＬＡＮ１０９を介して、汎用端末１１０Ａに送出する。そして、汎用端末１１０Ａは、静止画像もしくは低レート素材を受信すると、汎用端末１１０Ａの表示画面に静止画像もしくは低レート素材の再生画像を表示する。
【００３３】
なお、静止画像を汎用端末１１０Ａの表示画面に表示する際、放送順に各放送素材の静止画像を並べて表示させるために、配信サーバ１０８は、静止画像を記憶している記憶場所（静止画像記憶アドレス）をシーン順序番号の若い順番に登録端末１０８より取得して、この記憶場所（静止画像記憶アドレス）に記憶された静止画像を、ＬＡＮ１０９を介して、シーン順序番号の若い順番で汎用端末１１０Ａに送出する動作を放送素材番号の若い順番に従って繰り返す。一方、低レート素材の再生画像を汎用端末１１０Ａの表示画面に表示する際、放送順に各低レート素材の再生画像を表示させるために、配信サーバ１０８は、低レート素材を記憶している記憶場所（低レート素材記憶アドレス）を放送素材番号の若い順番に登録端末１０８より取得して、この記憶場所（低レート素材記憶アドレス）に記憶された低レート素材を、ＬＡＮ１０９を介して、放送素材番号の若い順番で汎用端末１１０Ａに送出するよう動作する。
【００３４】
また、静止画像もしくは低レート素材を、ＬＡＮ１０９を介して汎用端末１１０に送出する場合、本実施例では、図１１の通り、伝送レート、横画素数を変えることにより、汎用端末１１０Ａに配信されるデータ量を少なくしている。汎用端末１１０Ａ以外の汎用端末も、ＬＡＮ１０９を介して配信サーバ１０６と接続されていることにより、即ち、複数の汎用端末がＬＡＮ１０９を介して配信サーバ１０６と接続されていることにより、トラフィック量が過多となることによる配信不能を防ぐために、配信されるデータ量を少なくしている。
【００３５】
次に、汎用端末での事前プレビューの詳細動作について、図７、図８を用いて説明する。図７は、事前プレビューする場合の汎用端末の動作を示すフローチャート、図８は、事前プレビューする場合の配信サーバの動作を示すフローチャートである。以下、汎用端末１１０Ａで事前プレビューする場合を例にして説明する。操作者の操作により、汎用端末１１０Ａのメモリ（図示せず）に記憶された事前プレビュー用プログラムを実行すると、配信サーバ１０６のＩＰアドレスが入力されたものとして汎用端末１１０Ａが処理することにより、事前プレビュー要求がＬＡＮ１０９を介して汎用端末１１０Ａから配信サーバ１０６に送出される（ステップ７０１）。配信サーバ１０６は、事前プレビュー要求を受信する（ステップ８０１）と、前述の通り、登録端末１０８に対して番組リスト（各番組に関する情報のプレイリスト）送出を要求する（ステップ８０２）ことによって登録端末１０８から取得した番組リストを、ＬＡＮ１０９を介して汎用端末１１０Ａに送出する（ステップ８０３、ステップ８０４）。
【００３６】
汎用端末１１０Ａは、番組リストを受信する（ステップ７０２）と、図９の通り、事前プレビュー番組選択画面を表示する（ステップ７０３）。この事前プレビュー番組選択画面は、操作者が事前プレビューする番組を選択させるための表示画面であることにより、番組リスト９０１、事前プレビューする番組番号の入力要求メッセージ９０２、番組番号入力欄９０３、決定キーボタン９０４を表示する。操作者は番組リスト９０１から事前プレビューする番組の番組番号を番組番号入力欄９０３に入力して決定キー９０４をマウスでクリックすることにより事前プレビュー番組を選択する（ステップ７０４）と、図１０の通り、事前プレビュー方法選択画面を表示する（ステップ７０５）。この事前プレビュー方法選択画面は、操作者に事前プレビュー方法を選択させるための表示画面であることにより、事前プレビュー方法の選択要求メッセージ１００１、静止画像表示ボタン１００２、動画像表示ボタン１００３を表示する。
【００３７】
操作者は静止画像表示ボタン１００２または動画像表示ボタン１００３をマウスでクリックすることにより事前プレビュー方法を選択する（ステップ７０６）と、汎用端末１１０Ａは、プレビュー画像受信中である旨の表示１００４を行うと共に、ＬＡＮ１０９を介して配信サーバ１０６へプレビュー画像要求信号を送出する（ステップ７０７、ステップ７０８）。このプレビュー画像要求信号は、画像種別情報と番組番号情報とを含むように構成されていることにより、配信サーバ１０６は、プレビュー画像要求信号を受信する（ステップ８０５）と、静止画像による事前プレビューを要求しているのか、それとも動画像による事前プレビューを要求しているのかを画像種別情報から検知すると共に、番組番号を配信サーバ１０６は番組番号情報から検知する（ステップ８０６）。
【００３８】
そして、配信サーバ１０６は、静止画像による事前プレビューを要求しているのを検知した（ステップ８０７）場合、放送素材番号及びシーン順序番号の初期設定を行う（ステップ８０８）。例えば、番組番号が１番では放送素材番号を１０１番から、番組番号が２番では放送素材番号を２０１番から、………、番組番号がＮ番では放送素材番号を（Ｎ×１００＋１）番から放送順に割り当てている場合、放送素材番号を番組番号に応じてそれぞれ１０１番、２０１番、………、（Ｎ×１００＋１）番に設定すると共に、シーン順序番号を１番に設定する。そして、設定された放送素材番号（例えば、番組番号が１０番の場合、放送素材番号は１００１番に設定される）で且つシーン順序番号が１番の静止画像の記憶場所（静止画像記憶アドレス）情報の送出を、登録端末１０８に対して要求する（ステップ８０９）。この要求により、記憶場所（静止画像記憶アドレス）情報を登録端末１０８より取得する（ステップ８１０）。記憶場所（静止画像記憶アドレス）情報を取得後、シーン順序番号を１番から２番に変える（ステップ８１１）ことで、前述の設定の放送素材番号で且つシーン順序番号が２番の静止画像の記憶場所（静止画像記憶アドレス）情報の送出を、登録端末１０８に対して要求する（ステップ８０９）ことにより、前述の設定の放送素材番号で且つシーン順序番号が２番の静止画像の記憶場所（静止画像記憶アドレス）情報を取得する（ステップ８１０）。なお、静止画像が配信サーバ１０６に記憶されていないことにより、記憶場所（静止画像記憶アドレス）情報を登録端末１０８が有していない場合については、後で詳述する。
【００３９】
前述の設定の放送素材番号で且つシーン順序番号が２番の静止画像の記憶場所（静止画像記憶アドレス）情報を取得後、シーン順序番号のみを１ずつ大きくする（放送素材番号は変更しない）度に、前述の設定の放送素材番号で且つ各々のシーン順序番号の静止画像の記憶場所（静止画像記憶アドレス）情報の送出を登録端末１０８に要求する（ステップ８０９）ことで、前述の設定の放送素材番号で且つ各々のシーン順序番号の静止画像の記憶場所（静止画像記憶アドレス）情報を取得する（ステップ８１０）。そして、前述の動作により、シーン順序番号が所定値を超えたとき、即ち、シーン順序番号が前述の設定の放送素材番号の放送素材から生成した静止画像の枚数を超えたとき、このシーン順序番号の静止画像の記憶場所（静止画像記憶アドレス）情報の送出を要求しても、このシーン順序番号の静止画像そのものが生成されていないことで配信サーバ１０６に記憶されていないことにより、登録端末１０８からは記憶場所（静止画像記憶アドレス）情報を送出しない。記憶場所（静止画像記憶アドレス）情報を送出する代わり、記憶場所（静止画像記憶アドレス）情報を有していない旨の情報を配信サーバ１０６は取得する（ステップ８１０）。この情報の取得により、放送素材番号を１だけ大きくすると共に、シーン順序番号を１番とする（ステップ８１２）。例えば、放送素材番号が１００１の静止画像の枚数が４枚である場合でシーン順序番号を１ずつ大きくしながら各々のシーン順序番号の静止画像の記憶場所（記憶アドレス）情報を取得しているとき、シーン順序番号が５番となると、このシーン順序番号の静止画像の記憶場所（静止画像記憶アドレス）情報を有していない旨の情報を、配信サーバ１０６は登録端末１０８より取得する。この情報の取得により、放送素材番号を１００１番から１００２番にすると共に、シーン順序番号を１番とする。
【００４０】
放送素材番号を１だけ大きくすると共に、シーン順序番号を１番とした（ステップ８１２）後、この放送素材番号、シーン順序番号の静止画像の記憶場所（静止画像記憶アドレス）情報の送出を登録端末１０８に要求する（ステップ８１３）ことで、要求した放送素材番号、シーン順序番号の静止画像の記憶場所（静止画像記憶アドレス）情報を取得する（ステップ８１４）。なお、静止画像が配信サーバ１０６に記憶されていないことにより、記憶場所（静止画像記憶アドレス）情報を登録端末１０８が有していない場合については、後で詳述する。静止画像の記憶場所（静止画像記憶アドレス）情報の取得後、シーン順序番号を１ずつ大きくする度に、前述のステップ８１２で設定された放送素材番号で且つ各々のシーン順序番号の静止画像の記憶場所（静止画像記憶アドレス）情報の送出を登録端末１０８に要求することで、要求した放送素材番号、シーン順序番号の静止画像の記憶場所（静止画像記憶アドレス）情報を取得するのを、シーン順序番号が所定値（前述のステップ８１２で設定された放送素材番号の放送素材から生成した枚数）を超えるまで繰り返す（ステップ８０９〜ステップ８１１）。以降、シーン順序番号が所定値を超えた度に、放送素材番号を１ずつ大きくしてこの放送素材番号の放送素材から生成した全ての静止画像の記憶場所（静止画像記憶アドレス）情報の送出をシーン順序番号の若い順番で登録端末１０８に要求することにより、要求した全ての静止画像の記憶場所（静止画像記憶アドレス）情報をシーン順序番号の若い順番に取得するのを繰り返す（ステップ８０９〜ステップ８１４）。
【００４１】
そして、放送素材番号が所定値を超えたとき、即ち、放送素材番号が対象の番組（事前プレビューする番組）の各放送素材に割り当てられれた放送素材番号の最大値を超えたとき、対象の番組（事前プレビューする番組）の全ての放送素材について、各々の放送素材の静止画像の記憶場所（静止画像記憶アドレス）情報を全て取得したものと、配信サーバ１０６は判定して、静止画像の記憶場所（静止画像記憶アドレス）情報の取得動作を終了する。なお、放送素材番号が所定値を超えたか否かの判定は、放送素材番号を１だけ大きくすると共に、シーン順序番号を１番として（ステップ８１２）、この放送素材番号、シーン順序番号の静止画像の記憶場所（静止画像記憶アドレス）情報の送出を登録端末１０８に要求した際（ステップ８１３）、要求した放送素材番号、シーン順序番号の静止画像の記憶場所（静止画像記憶アドレス）情報を取得するか否かにより行う（ステップ８１４）。放送素材番号が所定値を超えたとき、この放送素材番号で且つシーン順序番号が１番の静止画像そのものが生成されていないことで配信サーバ１０６に記憶されていないことにより、登録端末１０８から記憶場所（静止画像記憶アドレス）情報を送出しないことで、配信サーバ１０６は記憶場所（静止画像記憶アドレス）情報を取得しない。登録端末１０８は記憶場所（静止画像記憶アドレス）情報を送出する代わりに、記憶場所（静止画像記憶アドレス）情報を有していない旨の情報を送出するため、配信サーバ１０６は記憶場所（静止画像記憶アドレス）情報を有していない旨の情報を受信する。記憶場所（背うす画像記憶アドレス）情報を有していない旨の情報を受信したとき、対象の番組（事前プレビューする番組）の静止画像の記憶場所（静止画像記憶アドレス）情報を全て取得したものと、配信サーバ１０６は判定して、静止画像の記憶場所（静止画像記憶アドレス）情報の取得動作を終了する。
【００４２】
静止画像の記憶場所（静止画像記憶アドレス）情報の取得動作終了後、取得した記憶場所（静止画像記憶アドレス）情報に基づいて、対象の番組（事前プレビューする番組）の各放送素材から生成した各静止画像を、ＬＡＮ１０９を介して汎用端末１１０Ａに送出する動作を開始する。即ち、汎用端末１１０Ａへの静止画像のネットワーク配信を開始する。まず、放送素材番号及びシーン順序番号の初期設定を行う（ステップ８１５）。例えば、番組番号が１番では放送素材番号を１０１番から、番組番号が２番では放送素材番号を２０１番から、……、番組番号がＮ番では放送素材番号を（Ｎ×１００＋１）番から放送順に割り当てている場合、放送素材番号を番組番号に応じてそれぞれ１０１番、２０１番、……、（Ｎ×１００＋１）番に設定すると共に、シーン順序番号を１番に設定する。そして、設定された放送素材番号（例えば、番組番号が１０番の場合、放送素材番号は１００１番に設定される）でシーン順序番号が１番の静止画像の記憶場所（静止画像記憶アドレス）に記憶された静止画像を、ＬＡＮ１０９を介して汎用端末１１０Ａに送出する（ステップ８１７）。汎用端末１１０Ａは、ＬＡＮ１０９を介して配信サーバ１０６より送出された静止画像を、即ち、設定された放送素材番号でシーン順序番号が１番の静止画像を受信し（ステップ７０９）、表示する（ステップ７１０）。
【００４３】
配信サーバ１０６は、初期設定の放送素材番号でシーン順序番号が１番の静止画像を送出（ステップ８１７）後、シーン順序番号を１ずつ大きくする（ステップ８１８）度に、初期設定の放送素材番号で各々のシーン順序番号の静止画像の記憶場所（静止画像記憶アドレス）に記憶された静止画像を、ＬＡＮ１０９を介して汎用端末１１０Ａに送出する（ステップ８１７）。汎用端末１１０Ａは、ＬＡＮ１０９を介して、配信サーバ１０６から送出された静止画像を受信する（ステップ７０９）度に、この静止画像を、既に受信して表示されている静止画像の内の最新の静止画像の右隣に表示する（ステップ７１０）。従って、初期設定の放送素材番号でシーン順序番号がＮ番（ただし、Ｎ≧２）の静止画像は、初期設定の放送素材番号でシーン順序番号がＮ−１番（ただし、Ｎ≧２）の静止画像の右隣に表示されることにより、シーン順序番号の順番に従って、静止画像が左から右に表示される。そして、シーン順序番号が所定値を超えたとき、即ち、シーン順序番号が初期設定の放送素材番号の放送素材から生成された静止画像の枚数を超えたとき、初期設定の放送素材番号でこのシーン順序番号の静止画像の記憶場所（静止画像記憶アドレス）情報を配信サーバ１０６は有していない。記憶場所（静止画像記憶アドレス）情報を有していないのを検知する（ステップ８１６）と、放送素材番号を１だけ大きくすると共に、シーン順序番号を１番に設定する（ステップ８１９）。そして、この放送素材番号、シーン順序番号の静止画像の記憶場所に記憶された静止画像を、ＬＡＮ１０９を介して、汎用端末１１０Ａに送出する（ステップ８１７）。なお、この放送素材番号、シーン順序番号の静止画像の記憶場所情報を有していない場合の動作については、後で詳述する。汎用端末１１０Ａは、ＬＡＮ１０９を介して、配信サーバ１０６から送出された静止画像を受信し（ステップ７０９）、表示する（ステップ７１０）。なお、この静止画像を表示する際、初期設定された放送素材番号でシーン順序番号が１番の静止画像の下に表示する。
【００４４】
以下、同様にして、シーン順序番号が所定値を超えるまで、即ち、ステップ８１９で設定された放送素材番号の放送素材から生成された静止画像の枚数を超えるまで、シーン順序番号を１ずつ大きくする度に、ステップ８１９で設定された放送素材番号で各々のシーン順序番号の静止画像の記憶場所（静止画像記憶アドレス）に記憶された静止画像を、ＬＡＮ１０９を介して汎用端末１１０Ａに送出する（ステップ８１６〜ステップ８１８）。汎用端末１１０Ａは、ＬＡＮ１０９を介して、配信サーバ１０６から送出された静止画像を受信する（ステップ７０９）度に、この静止画像を、既に受信して表示されている静止画像の内の最新の静止画像の右隣に表示する（ステップ７１０）。従って、ステップ８１９で設定された放送素材番号でシーン順序番号がＮ番（ただし、Ｎ≧２）の静止画像は、ステップ８１９で設定された放送素材番号でシーン順序番号がＮ−１番（ただし、Ｎ≧２）の静止画像の右隣に表示されることにより、シーン順序番号の順番に従って、静止画像が左から右に表示される。シーン順序番号が所定値を超えた後、放送素材番号を１ずつ大きくする度に、この放送素材番号の放送素材から生成した各々の静止画像の記憶場所（静止画像記憶アドレス）に記憶された各静止画像を、シーン順序番号の若い順番で、ＬＡＮ１０９を介して、汎用端末１１０Ａに送出するのを繰り返す（ステップ８１６〜ステップ８２０）。汎用端末１１０Ａは、ＬＡＮ１０９を介して、配信サーバ１０６から送出された静止画像を受信する（ステップ７０９）度に、表示する（ステップ７１０）のを繰り返す。なお、静止画像を表示する際、図１３の通り、放送素材番号の順番に従って画面の上から下に表示すると共に、シーン順序番号の順番に従って画面の左から右に表示する。
【００４５】
そして、放送素材番号が所定値を超えたとき、即ち、放送素材番号が対象の番組（事前プレビューする番組）の各放送素材に割り当てられれた放送素材番号の最大値を超えたとき、対象の番組（事前プレビューする番組）の全ての放送素材について、各々の放送素材の静止画像を、ＬＡＮ１０９を介して、汎用端末１１０Ａに配信したものと、配信サーバ１０６は判定して、汎用端末１１０Ａへの静止画像のネットワーク配信動作を終了する。なお、放送素材番号が所定値を超えたか否かの判定は、放送素材番号を１だけ大きくすると共に、シーン順序番号を１番として（ステップ８１９）、この放送素材番号、シーン順序番号の静止画像の記憶場所（静止画像記憶アドレス）の有無に応じて行う（ステップ８２０）。放送素材番号が所定値を超えたとき、この放送素材番号で且つシーン順序番号が１番の静止画像の記憶場所（静止画像記憶アドレス）情報を有していないことにより、対象の番組（事前プレビューする番組）の静止画像を全て、汎用端末１１０Ａにネットワーク配信したものと配信サーバ１０６は判定し、ＬＡＮ１０９を介して静止画像送出終了信号を汎用端末１１０Ａに送出する（ステップ８２１）。汎用端末１１０Ａは、ＬＡＮ１０９を介して、配信サーバ１０６から送出された静止画像送出終了信号を受信する（ステップ７１１）と、事前プレビュー用静止画像を全て受信したことを操作者に報知させるよう動作する。例えば、事前プレビュー用静止画像を全て受信したことを操作者に報知させるためのメッセージを、図１３の表示画面に追記する。そして、操作者が事前プレビュー選択画面を表示させるための所定の操作を行う（ステップ７１２）と、汎用端末１１０Ａは、図９に示す事前プレビュー番組選択画面を表示した状態に戻る（ステップ７０３）。
【００４６】
汎用端末１１０Ａに事前プレビュー番組選択画面が表示された状態（ステップ７０３）で、前述の通り、事前プレビューする番組を操作者が選択し（ステップ７０４）、選択後に事前プレビュー方法選択画面で動画像による事前プレビューを選択する（ステップ７０５、ステップ７０６）と、汎用端末１１０Ａは、プレビュー画像受信中である旨の表示１００４を行うと共に、ＬＡＮ１０９を介して配信サーバ１０６へプレビュー画像要求信号を送出する（ステップ７０８）。なお、このプレビュー画像要求信号は、前述の通り、画像種別情報と番組番号情報とを含むように構成されており、配信サーバ１０６は、プレビュー画像要求信号を受信する（ステップ８０５）と、動画像による事前プレビューを選択したことを画像種別情報から検知すると共に、番組番号情報から番組番号を検知する（ステップ８０６）。そして、配信サーバ１０６は、動画像による事前プレビューを要求しているのを検知する（ステップ８０６）と、放送素材番号の初期設定を行う（ステップ８２２）。例えば、番組番号が１番では放送素材番号を１０１番から、番組番号が２番では放送素材番号を２０１番から、………、番組番号がＮ番では放送素材番号を（Ｎ×１００＋１）番から放送順に割り当てている場合、選択した番組の番組番号に応じて放送素材番号をそれぞれ１０１番、２０１番、………、（Ｎ×１００＋１）番に設定する。そして、設定された放送素材番号（例えば、番組番号が１０番の場合、放送素材番号は１００１番に設定される）の低レート素材の記憶場所（低レート素材記憶アドレス）情報の送出を、登録端末１０８に対して要求する（ステップ８２３）ことにより、初期設定の放送素材番号の低レート素材の記憶場所（低レート素材記憶アドレス）情報を取得する（ステップ８２４）。
【００４７】
初期設定の放送素材番号の記憶場所（低レート素材記憶アドレス）情報を取得した（ステップ８２４）後、放送素材番号が所定値を超えるまで、即ち、放送素材番号が対象の番組（事前プレビューする番組）の各放送素材に割り当てられれた放送素材番号の最大値を超えるまで、放送素材番号を１ずつ大きくする（ステップ８２５）度に、ステップ８２９で設定された放送素材番号の低レート素材の記憶場所（低レート素材記憶アドレス）情報の送出を登録端末１０８に対して要求する（ステップ８２３）ことにより、この低レート素材の記憶場所（低レート素材記憶アドレス）情報を取得する（ステップ８２４）のを繰り返す。そして、放送素材番号が所定値を超えたとき、この放送素材番号の低レート素材の記憶場所（低レート素材記憶アドレス）情報の送出を登録端末１０８に対して要求しても（ステップ８２３）、この低レート素材そのものが生成されていないことで配信サーバ１０６は記憶していないことにより、登録端末１０８は低レート素材の記憶場所（低レート素材記憶アドレス）情報を送出しない。低レート素材の記憶場所（低レート素材記憶アドレス）情報を送出する代わりに、低レート素材の記憶場所（低レート素材記憶アドレス）情報を有していない旨の情報を、登録端末１０８は、配信サーバ１０６に対して送出する。配信サーバ１０６は、低レート素材の記憶場所（低レート素材記憶アドレス）ではなく、低レート素材の記憶場所（低レート素材記憶アドレス）情報を有していない旨の情報を取得する（ステップ８２４）と、対象の番組（事前プレビューする番組）の低レート素材の記憶場所（低レート素材記憶アドレス）情報を全て取得したものと、配信サーバ１０６は判定して、低レート素材の記憶場所（低レート素材記憶アドレス）情報の取得動作を終了する。
【００４８】
低レート素材の記憶場所（低レート素材記憶アドレス）情報の取得動作終了後、取得した記憶場所（低レート素材記憶アドレス）情報に基づいて、対象の番組（事前プレビューする番組）の各放送素材から生成した各低レート素材を、ＬＡＮ１０９を介して汎用端末１１０Ａに送出する動作を開始する。即ち、汎用端末１１０Ａへの低レート素材のネットワーク配信を開始する。まず、放送素材番号の初期設定を行う（ステップ８２６）。例えば、番組番号が１番では放送素材番号を１０１番から、番組番号が２番では放送素材番号を２０１番から、……、番組番号がＮ番では放送素材番号を（Ｎ×１００＋１）番から放送順に割り当てている場合、放送素材番号を番組番号に応じてそれぞれ１０１番、２０１番、……、（Ｎ×１００＋１）番に設定する。そして、設定された放送素材番号（例えば、番組番号が１０番の場合、放送素材番号は１００１番に設定される）の低レート素材の記憶場所（静止画像記憶アドレス）に記憶された低レート素材を、ＬＡＮ１０９を介して汎用端末１１０Ａに送出する（ステップ８２８）。汎用端末１１０Ａは、ＬＡＮ１０９を介して配信サーバ１０６より送出された低レート素材を、即ち、初期設定の放送素材番号の低レート素材を受信し（ステップ７１８）、この低レート素材の再生画像を表示する（ステップ７１４）。
【００４９】
初期設定の放送素材番号の低レート素材を送出した（ステップ８２８）後、配信サーバ１０６は、放送素材番号が所定値を超えるまで、即ち、放送素材番号が対象の番組（事前プレビューする番組）の各放送素材に割り当てられれた放送素材番号の最大値を超えるまで、放送素材番号を１ずつ大きくする（ステップ８２９）度に、ステップ８２９で設定された放送素材番号の低レート素材の記憶場所（低レート素材記憶アドレス）に記憶された低レート素材を、ＬＡＮ１０９を介して汎用端末１１０Ａに送出する（ステップ８２８）のを繰り返す。汎用端末１１０Ａは、ＬＡＮ１０９を介して配信サーバ１０６より送出された低レート素材を受信する（ステップ７１８）度に、この低レート素材の再生画像を表示する（ステップ７１４）のを繰り返す。そして、放送素材番号が所定値を超えたとき、この放送素材番号の低レート素材の記憶場所情報（低レート素材記憶アドレス）を有していない（ステップ８２７）ことにより、対象の番組（事前プレビューする番組）の低レート素材を全て、汎用端末１１０Ａにネットワーク配信したものと配信サーバ１０６は判定し、ＬＡＮ１０９を介して低レート素材送出終了信号を汎用端末１１０Ａに送出する（ステップ８３０）。汎用端末１１０Ａは、ＬＡＮ１０９を介して、配信サーバ１０６から送出された低レート素材送出終了信号を受信する（ステップ７１１）と、図９に示す事前プレビュー番組選択画面を表示した状態に戻る（ステップ７０３）。以上のように、本実施例では、操作者が選択した番組の事前プレビューを、操作者が選択した事前プレビュー方法（静止画像表示による事前プレビュー、動画像表示による事前プレビュー）で行うことができる。
【００５０】
次に、静止画像表示による事前プレビューをしたときの各汎用端末１１１Ａ、１１１Ｂ、１１１Ｃ、１１１Ｄの表示画面について説明する。例えば、事前プレビューする番組が、図１２の通り、本編素材１２０１、ＣＭ素材１２０１〜１２０４、本編素材１２０５、ＣＭ素材１２０６〜１２０８、……、ＶＡＦ（Video Audio File）素材（静止画像及び音声とで構成された放送素材）１２０９で構成されている場合、図１３の通り、オンエアされる順番に従い、表示画面の上から下に向かって、本編素材１２０１、ＣＭ素材１２０２〜１２０４、本編素材１２０５、ＣＭ素材１２０６〜１２０８、……、ＶＡＦ素材１２０９の順番で静止画像が表示される。そして、同一の放送素材の静止画像同士では、オンエアされる順番に従い、表示画面の左から右に向かって表示される。なお、表示画面に収まりきらない場合には、表示画面右端のスクロールバー１３０１をマウスでドラッグすることで動かすことにより、全ての静止画像を表示させることができる。この静止画像表示により、例えば、番組のスポンサー会社とスポンサー会社のＣＭとが一致しているか否かについて、番組のスポンサー会社名が表示画面（ＶＡＦ素材１２０９に関する表示画面）、即ち、「御覧のスポンサーの提供でお送りしました」とアナウンスされるシーンでの表示画面と、各ＣＭ素材（例えば、ＣＭ素材１２０１〜１２０４、ＣＭ素材１２０６〜１２０８）の表示画面とを見比べることにより、不一致を見落とすことなく簡単にチェックすることができる。更に、各番組と各番組のスポンサー会社との関係を操作者が予め把握している場合で、番組のスポンサー会社と異なるスポンサー会社のＣＭが間違って記憶されているか否かについて、各本編素材（例えば、本編素材１２０１、本編素材１２０５）の表示画面と各ＣＭ素材（例えば、ＣＭ素材１２０２〜１２０４、ＣＭ素材１２０６〜１２０８）の表示画面とを見比べることにより、間違いを見落とすことなく簡単にチェックすることができる。従って、本実施例の放送番組送出装置の事前プレビュー方法では、番組と番組のＣＭとの整合性がとれているか否かのチェックに関し、不具合を見落とすことなく、間単に行うことができる。更に、静止画像の一覧表示により、オンエア映像を見ながら事前プレビューを行うときのように、時間経過と共に表示される映像が消えてしまうことがないため、番組の順序、内容、画像品質のチェックについても、不具合を見落とすことなく、簡単に行うことができる。
【００５１】
以上のように、第一実施例の放送番組送出装置の事前プレビュー方法では、静止画像の一覧表示により、番組の順序、内容、画像品質のチェック及び番組と番組のＣＭの整合性がとれているか否かのチェックを行うため、不具合を見落とすことなく、間単に放送素材のチェックを行うことができる。
【００５２】
なお、第一実施例の放送番組送出装置の事前プレビュー方法では、静止画像表示による事前プレビューを行うときに、各静止画像の送出時刻については表示していないが、下記に記載した第二実施例の放送番組送出装置の事前プレビュー方法の様に、静止画像表示による事前プレビューを行うとき、各静止画像と各静止画像の送出時刻とを対応付けて表示できるようにすれば、不具合静止画像の送出時刻も表示するため、操作者は、不具合静止画像の有無だけでなく、不具合静止画像の送出時刻も把握することができる。そして、不具合静止画像の送出時刻とプレイリストにより、どの放送素材が不具合があるかについて把握することができる。
【００５３】
次に、第二実施例の放送番組送出装置の事前プレビュー方法について、説明する。この放送番組送出装置の事前プレビュー方法では、前述の第一実施例の放送番組送出装置の事前プレビュー方法では行わない下記（１）、（２）の処理を行うことにより、後で詳述する通り、静止画像表示による事前プレビューを行うとき、各静止画像と各静止画像の送出時刻とを対応付けて表示できる。
【００５４】
（１）放送素材から静止画像を生成するとき、登録端末１０８´は、静止画像を生成する度に静止画像の送出時刻を求める（第二実施例の静止画像生成部は、第一実施例の静止画像生成部１０８と、静止画像の送出時刻を求めるという点で動作が異なることにより区別する必要があるため、第二実施例の静止画像生成部の符号を１０８´とする）。
【００５５】
（２）静止画像表示による事前プレビューを行うとき、各汎用端末１１１Ａ´、１１１Ｂ´、１１１Ｃ´、１１１Ｄ´は、各静止画像と共に上記（１）で求めた各静止画像の送出時刻についても表示する（第二実施例の各汎用端末は、第一実施例の各汎用端末１１１Ａ、１１１Ｂ、１１１Ｃ、１１１Ｄと、静止画像の送出時刻も表示するという点で動作が異なることにより区別する必要があるため、第二実施例の各汎用端末の符号をそれぞれ１１１Ａ´、１１１Ｂ´、１１１Ｃ´、１１１Ｄ´とする）。
【００５６】
以下、上記（１）、（２）の処理について、詳細に説明する。まず、上記（１）の処理について、図１４を用いて説明する。登録端末１０８´は、初期設定としてシーン順序番号を０とし（ステップ１４０１）、静止画像を生成するための動作を開始する旨の指令の待受状態となる。そして、静止画像を生成するための動作を開始する旨の指令を登録コントローラ１０７より受信した（ステップ１４０２）とき、タイマをオンにする（ステップ１４０３）と共にＶＴＲ１０３により再生された放送素材の受信、及び受信した放送素材からの静止画像の生成を開始する。なお、静止画像の生成は、前述の通り、ＶＴＲ１０３の再生画像の中からシーンが所定量以上変化した画像を抽出することにより行う。シーンが所定量以上変化した画像を抽出した（ステップ１４０５）とき、静止画像を生成するだけでなく、タイマがオンとなってからこの静止画像を生成するまでに経過した時間（以下、第１回目のラップタイムと称する）を登録端末１０８´内のメモリ（図示せず）に記憶する（ステップ１４０６）。そして、シーン順序番号を０から１に変えた（ステップ１４０７）とき、生成した静止画像を、第１回目のラップタイムの静止画像及びシーン順序番号が１番の静止画像として、登録端末１０８´内のメモリ（図示せず）に記憶する（ステップ１４０８）。更に、この静止画像を生成したときに用いた放送素材（対応する放送素材）の放送素材番号（前述の放送素材選択時に登録端末１０８´の操作者が選択した放送素材の放送素材番号）と登録端末１０８´内のメモリ（図示せず）に既に記憶されているプレイリストから対応する放送素材の送出開始時刻を得る（ステップ１４０９）ことにより、この送出開始時刻と第１回目のラップタイムとを加算することで、この静止画像の送出時刻を算出する（ステップ１４１０）。その結果、シーン順序番号が１番の静止画像が第１回目のラップタイムと関連付けて記憶されるだけでなく、第１回目の送出時刻情報とも関連付けて記憶される（ステップ１４１１）。
【００５７】
その後、ＶＴＲ１０３の再生画像の中からシーンが所定量以上変化した画像を抽出した（ステップ１４０５）とき、静止画像を生成すると共に、タイマがオンとなってからこの静止画像を生成するまでの時間（以下、第２回目のラップタイムと称する）を登録端末１０８´内のメモリ（図示せず）に記憶する（ステップ１４０６）。そして、シーン順序番号を１から２に変えた（ステップ１４０７）とき、生成した静止画像を、第２回目のラップタイムの静止画像及びシーン順序番号が２番の静止画像として、登録端末１０８´内のメモリ（図示せず）に記憶する（ステップ１４０８）。更に、この静止画像を生成したときに用いた放送素材（対応する放送素材）の放送素材番号（前述の放送素材選択時に登録端末１０８´の操作者が選択した放送素材の放送素材番号）と登録端末１０８´内のメモリ（図示せず）に既に記憶されているプレイリストから対応する放送素材の送出開始時刻を得る（ステップ１４０９）ことにより、この送出開始時刻と第２回目のラップタイムとを加算することで、この静止画像の送出時刻を算出する（ステップ１４１０）。その結果、シーン順序番号が２番の静止画像が第２回目のラップタイムと関連付けて記憶されるだけでなく、第２回目の送出時刻情報とも関連付けて記憶される（ステップ１４１１）。
【００５８】
その後、登録コントローラ１０８´から静止画像の生成を停止する旨の指令を受ける（ステップ１４０４）まで、シーンが所定量以上変化した画像を抽出する（ステップ１４０５）度に、静止画像を生成すると共に、タイマがオンとなってからこの静止画像が生成されるまでの時間（以下、第Ｎ回目のラップタイムと称する。ただし、Ｎ≧３）を登録端末１０８´内のメモリ（図示せず）に記憶する（ステップ１４０６）。そして、シーン順序番号がＮ−１からＮに変えた（ステップ１４０７）とき、生成した静止画像を、第Ｎ回目のラップタイムの静止画像及びシーン順序番号Ｎの静止画像として、登録端末１０８´のメモリ（図示せず）に記憶する（ステップ１４０８）。更に、この静止画像を生成したときに用いた放送素材（対応する放送素材）の放送素材番号（前述の放送素材選択時に登録端末１０８´の操作者が選択した放送素材の放送素材番号）と登録端末１０８´内のメモリ（図示せず）に既に記憶されているプレイリストから対応する放送素材の送出開始時刻を得る（ステップ１４０９）ことにより、この送出開始時刻と第Ｎ回目のラップタイムとを加算することで、この静止画像の送出開始時刻を算出する（ステップ１４１０）。その結果、シーン順序番号がＮ番目の静止画像が第Ｎ回目のラップタイムと関連付けて記憶されるだけでなく、第Ｎ回目の送出時刻情報とも関連付けて記憶される（ステップ１４１１）。
【００５９】
静止画像の生成を停止する旨の指令を受信（ステップ１４０４）後、登録コントローラ１０７から生成した静止画像を送出する旨の指令を登録端末１０８´が受信した（ステップ１４１２）とき、配信サーバ１０６´にシーン順序番号、ラップタイム、送出時刻が割り振られた静止画像を配信サーバ１０６´に送出する（ステップ１４１３）。この送出により、生成した全ての静止画像が、シーン順序番号、ラップタイム、送出時刻と関連付けられて配信サーバ１０６´に記憶される（第二実施例の配信サーバは、第一実施例の配信サーバ１０６と、各静止画像の送出時刻も受信する点で動作が異なることにより区別する必要があるため、第二実施例の配信サーバの符号を１０６´とする）。その後、静止画像記憶アドレス情報と静止画像記憶済情報が配信サーバ１０８´から受信して記憶すると共に、両情報（静止画像記憶アドレス情報と静止画像記憶済情報）がデータサーバ１０２にも送出されて記憶される（ステップ１４１４〜１４１８）。
【００６０】
次に、上記（２）の処理について、図１５〜図１７を用いて説明する。操作者の操作により、各汎用端末１１０Ａ´、１１０Ｂ´、１１０Ｃ´、１１０Ｄ´の内の１つの端末（例えば、汎用端末１１０Ａ´）が、メモリ（図示せず）に記憶された事前プレビュー用プログラムを実行すると、図９の通り、事前プレビュー番組選択画面を表示する。以下、汎用端末１１０Ａ´で事前プレビューをした場合を例にして説明する。事前プレビュー番組選択画面を表示した後、事前プレビューする番組の操作者による選択及び静止画像表示による事前プレビューの操作者による選択が行われることで汎用端末１１０Ａ´から配信サーバ１０６´にプレビュー画像要求信号がＬＡＮ１０９を介して送出されるまでの汎用端末１１０Ａ´及び配信サーバ１０６´の動作は、第一実施例の放送番組送出装置の事前プレビュー方法と同じである。このプレビュー画像要求信号は、画像種別情報と番組番号情報とを含むよう構成されていることにより、配信サーバ１０６´は、プレビュー画像要求信号を受信すると、静止画像による事前プレビューを要求しているのか、それとも動画像による事前プレビューを要求しているのかを画像種別情報から検知すると共に、バンク身番号を番組番号情報から検知する（ステップ１５０１〜ステップ１５０６、ステップ１６０１〜ステップ１６０６）。
【００６１】
そして、配信サーバ１０６´は、静止画像による事前プレビューを要求しているのを検知した場合、放送素材番号及びシーン順序番号の初期設定を行う。例えば、番組番号が１番では放送素材番号を１０１番から、番組番号が２番では放送素材番号を２０１番から、………、番組番号がＮ番では放送素材番号を（Ｎ×１００＋１）番から放送順に割り当てている場合、放送素材番号を番組番号に応じてそれぞれ１０１番、２０１番、………、（Ｎ×１００＋１）番に設定すると共に、シーン順序番号を１番に設定する。設定後、シーン順序番号のみを１番から順番に所定値（初期設定された放送素材番号の放送素材から静止画像の枚数）を超えるまで、１ずつ大きくする度に、配信サーバ１０６´は、初期設定の放送素材番号で各シーン順序番号の静止画像の記憶場所（静止画像記憶アドレス）情報及びこの静止画像の送出時刻情報の記憶場所（静止画像送出時刻記憶アドレス）情報の送出を登録端末１０８´に要求することにより、初期設定の放送素材番号で各シーン順序番号の静止画像の記憶場所（静止画像記憶アドレス）情報及びこの静止画像の送出時刻情報の記憶場所（静止画像送出時刻記憶アドレス）情報を登録端末１０８´から取得する動作を繰り返す。そして、シーン順序番号が所定値を超えたとき、初期設定の放送素材番号でこのシーン順序番号の静止画像を生成していないことで配信サーバ１０６´に記憶されていないことにより、登録端末１０８´は静止画像（静止画像記憶アドレス）情報、静止画像の送出時刻の記憶場所（静止画像送出時刻記憶アドレス）情報を送出しない。代わりに、静止画像（静止画像記憶アドレス）の記憶場所及び静止画像の送出時刻の記憶場所（静止画像送出時奥記憶アドレス）についての情報を有していない旨の信号を、配信サーバ１０６´に対して送出する。（ステップ１６０７〜ステップ１６１１）
配信サーバ１０６´は、静止画像（静止画像記憶アドレス）の記憶場所及び静止画像の送出時刻の記憶場所（静止画像送出時刻記憶アドレス）についての情報を有していない旨の信号を登録端末１０８´より受信した後、放送素材番号を１ずつ大きくする度に、この放送素材番号の放送素材から生成した全ての静止画像の記憶場所（静止画像記憶アドレス）情報及び全ての静止画像の送出時刻の記憶場所（静止画像送出時刻記憶アドレス）情報の送出をシーン順序番号の若い順番で登録端末１０８に要求することにより、要求した全ての静止画像の記憶場所（静止画像記憶アドレス）情報及び全ての静止画像の送出時刻の記憶場所（静止画像創出時刻記憶アドレス）情報をシーン順序番号の若い順番に取得するのを繰り返す。そして、放送素材番号が所定値を超えたとき、即ち、放送素材番号が対象の番組（事前プレビューする番組）の各放送素材に割り当てられれた放送素材番号の最大値を超えたとき、対象の番組（事前プレビューする番組）の全ての放送素材について、各々の放送素材の静止画像の記憶場所（静止画像記憶アドレス）情報を全て取得したものと、配信サーバ１０６は判定して、静止画像の記憶場所（静止画像記憶アドレス）情報の取得動作を終了する。（ステップ１６０９〜ステップ１６１５）
なお、放送素材番号が所定値を超えたか否かの判定は、放送素材番号を１だけ大きくすると共に、シーン順序番号を１番として、この放送素材番号、シーン順序番号の静止画像の記憶場所（静止画像記憶アドレス）情報の送出を登録端末１０８に要求した際、要求した放送素材番号、シーン順序番号の静止画像の記憶場所（静止画像記憶アドレス）情報を取得するか否かにより行う。放送素材番号が所定値を超えたとき、この放送素材番号で且つシーン順序番号が１番の静止画像そのものが生成されていないことで配信サーバ１０６に記憶されていないことにより、この静止画像の記憶場所（静止画像記憶アドレス）情報及びこの静止画像の送出時刻の記憶場所（静止画像送出時刻記憶アドレス）の送出を要求しても、登録端末１０８´は静止画像の記憶場所（静止画像記憶アドレス）情報、静止画像の送出時刻の記憶場所（静止画像送出時刻記憶アドレス）情報を送出しない。代わりに、静止画像の記憶場所（静止画像記憶アドレス）情報及び静止画像の送出時刻の記憶場所（静止画像送出時刻記憶アドレス）情報を有していない旨の信号を送出するため、この信号を配信サーバ１０６´は受信すると、対象の番組（事前プレビューする番組）の静止画像の記憶場所（静止画像記憶アドレス）情報を全て取得したものと判定して、静止画像の記憶場所（静止画像記憶アドレス）情報及び静止画像の送出時刻の記憶場所（静止画像送出時刻記憶アドレス）の取得動作を終了する。
【００６２】
静止画像の記憶場所（静止画像記憶アドレス）情報及び静止画像の送出時刻の記憶場所（静止画像送出時刻記憶アドレス）情報の取得動作終了後、取得した両記憶場所（静止画像記憶アドレス及び静止画像送出時刻記憶アドレス）情報に基づいて、対象の番組（事前プレビューする番組）の各放送素材から生成した各静止画像及び各静止画像の送出時刻情報を、ＬＡＮ１０９を介して汎用端末１１０Ａ´に送出する動作を開始する。即ち、汎用端末１１０Ａ´への静止画像及び静止画像の送出時刻のネットワーク配信を開始する。まず、放送素材番号及びシーン順序番号の初期設定を行う。例えば、番組番号が１番では放送素材番号を１０１番から、番組番号が２番では放送素材番号を２０１番から、………、番組番号がＮ番では放送素材番号を（Ｎ×１００＋１）番から放送順に割り当てている場合、放送素材番号を番組番号に応じてそれぞれ１０１番、２０１番、………、（Ｎ×１００＋１）番に設定すると共に、シーン順序番号を１番に設定する。設定後、シーン順序番号のみを１番から順番に所定値（初期設定された放送素材番号の放送素材から静止画像の枚数）を超えるまで、１ずつ大きくする度に、配信サーバ１０６´は、初期設定の放送素材番号で各シーン順序番号の静止画像の記憶場所（静止画像記憶アドレス）に記憶された静止画像と、これらの静止画像の送出時刻の記憶場所（静止画像送出時刻記憶アドレス）に記憶された送出時刻情報を、シーン順序番号の順番に、ＬＡＮ１０９を介して汎用端末１１０Ａ´に送出するのを繰り返す。汎用端末１１０Ａ´は、ＬＡＮ１０９を介して配信サーバ１０６´より送出された静止画像及び静止画像の送出時刻情報を受信する度に、静止画像及び静止画像の送出時刻を表示するのを繰り返す。なお、静止画像及び静止画像の送出時刻を表示する際、静止画像をシーン順序番号の順に左から右に表示すると共に、静止画像の送出時刻を対応する静止画像と関連付けて表示する。例えば、図１７の通り、各静止画像の送出時刻を対応する静止画像の下に表示する。この表示により、不具合静止画像の有無により初期設定の放送素材に不具合があるか否かを把握することができると共に、不具合がある場合、不具合静止画像の送出時刻も把握することができる。（ステップ１５０８〜ステップ１５０９、ステップ１７０１〜ステップ１７０４）
シーン順序番号が所定値を超えた後、即ち、シーン順序番号が初期設定の放送素材番号の放送素材から生成された静止画像の枚数を超えたことにより、初期設定の放送素材番号でこのシーン順序番号の静止画像の記憶場所（静止画像記憶アドレス）情報及びこの静止画像の送出時刻の記憶場所（静止画像送出時刻記憶アドレス）情報を配信サーバ１０６´は有していないのを検知した後、放送素材番号を１ずつ大きくする度に、この放送素材番号の放送素材から生成した各静止画像の記憶場所（静止画像記憶アドレス）に記憶された静止画像と、各静止画像の送出時刻情報の記憶場所（静止画像送出時刻記憶アドレス）に記憶された送出時刻情報を、ＬＡＮ１０９を介して、シーン順序番号の若い順に送出するのを繰り返す。汎用端末１１０Ａ´は、ＬＡＮ１０９を介して配信サーバ１０６´より送出された静止画像及び静止画像の送出時刻情報を受信する度に、静止画像及び静止画像の送出時刻を表示するのを繰り返す。なお、静止画像及び静止画像の送出時刻を表示する際、静止画像をシーン順序番号の順に左から右に表示すると共に、放送素材番号の若い順に上から下に表示する。そして、静止画像の送出時刻を対応する静止画像と関連付けて表示する。例えば、図１７の通り、各静止画像の送出時刻を対応する静止画像の下に表示する。この表示により、不具合静止画像の有無により如何なる放送素材に不具合があるか否かを把握することができると共に、不具合がある場合、不具合静止画像の送出時刻も把握することができる。（ステップ１５０８〜ステップ１５０９、ステップ１７０２〜ステップ１７０６）
そして、放送素材番号が所定値を超えたとき、即ち、放送素材番号が対象の番組（事前プレビューする番組）の各放送素材に割り当てられれた放送素材番号の最大値を超えたとき、対象の番組（事前プレビューする番組）の静止画像及び静止画像の送出時刻情報を全て、汎用端末１１０Ａにネットワーク配信したものと配信サーバ１０６は判定し、ＬＡＮ１０９を介して静止画像及び静止画像送出時刻情報送出終了信号を汎用端末１１０Ａに送出する。汎用端末１１０Ａは、ＬＡＮ１０９を介して、配信サーバ１０６から送出された静止画像及び静止画像送出時刻情報送出終了信号を受信すると、事前プレビュー用静止画像及び静止画像の送出時刻情報を全て受信したことを操作者に報知させるよう動作する。例えば、事前プレビュー用静止画像及び静止画像送出時刻情報を全て受信したことを操作者に報知させるためのメッセージを、図１８の表示画面に追記する。そして、操作者が事前プレビュー選択画面を表示させるための所定の操作を行うと、汎用端末１１０Ａは、図９に示す事前プレビュー番組選択画面を表示した状態に戻る。（ステップ１５０８〜ステップ１５１１、ステップ１７０２〜ステップ１７０７）
以上のように、第二実施例の放送番組送出装置の事前プレビュー方法では、静止画像表示による事前プレビューを行うときに、各静止画像と各静止画像の送出時刻とを対応付けて表示することにより、不具合静止画像の有無により如何なる放送素材に不具合があるか否かを把握することができると共に、不具合がある場合、不具合静止画像の送出時刻も把握することができる。また、静止画像表示による事前プレビューでは、静止画像の一覧表示により、番組の順序、内容、画像品質のチェック及び番組と番組のＣＭとの整合性がとれているか否かのチェックを行うため、不具合を見落とすことなく、簡単に行うことができる。
【図面の簡単な説明】
【００６３】
【図１】本発明の一実施例である放送番組送出装置の構成を示すブロック図。
【図２】本発明の一実施例である放送番組送出装置の登録コントローラで、放送素材から静止画像、低レート素材を生成するときの動作を示すフローチャート。
【図３】本発明の一実施例である放送番組送出装置のデータサーバに格納されるプレイリストの内容を示す図。
【図４】本発明の一実施例である放送番組送出装置の登録端末に表示される放送素材入力画面を示す図。
【図５】本発明の一実施例である放送番組送出装置の登録端末で、放送素材から静止画像を生成するときの動作を示すフローチャート。
【図６】本発明の一実施例である放送番組送出装置の低レート素材変換部で、放送素材から低レート素材を生成するときの動作を示すフローチャート。
【図７】本発明の一実施例である放送番組送出装置の汎用端末で、事前プレビューしたときの動作を示すフローチャート。
【図８】本発明の一実施例である放送番組送出装置の汎用端末で事前プレビューしたときの配信サーバの動作を示すフローチャート。
【図９】本発明の一実施例である放送番組送出装置の汎用端末に表示される事前プレビュー方法選択画面を示す図。
【図１０】本発明の一実施例である放送番組送出装置の汎用端末に表示される事前プレビュー番組選択画面を示す図。
【図１１】本発明の一実施例である放送番組送出装置の汎用端末で事前プレビューする番組の静止画像もしくは低レート素材を受信しているときの表示画面。
【図１２】事前プレビューする番組の構成を示す図。
【図１３】本発明の一実施例である放送番組送出装置の汎用端末に表示される静止画像プレビュー画面を示す図。
【図１４】本発明の一実施例である放送番組送出装置の登録端末で、放送素材から静止画像を生成するときの動作を示すフローチャート。
【図１５】本発明の一実施例である放送番組送出装置の汎用端末で、事前プレビューしたときの動作を示すフローチャート。
【図１６】本発明の一実施例である放送番組送出装置の汎用端末で事前プレビューしたときの配信サーバの動作を示すフローチャート。
【図１７】本発明の一実施例である放送番組送出装置の汎用端末で事前プレビューしたときの配信サーバの動作を示すフローチャート。
【図１８】本発明の一実施例である放送番組送出装置の汎用端末に表示される静止画像プレビュー画面を示す図。
【符号の説明】
【００６４】
１０１：ＥＤＰＳ    １０２：データサーバ
１０３：ＶＴＲ      １０４：ビデオサーバ
１０５：低レート素材変換部  １０６、１０６´：配信サーバ
１０７、１０７´：登録コントローラ １０８、１０８´：登録端末
１０９：ＬＡＮ      １１０Ａ、１１０Ａ´：汎用端末
１１０Ｂ、１１０Ｂ´：汎用端末     １１０Ｃ、１１０Ｃ´：汎用端末
１１０Ｄ、１１０Ｄ´：汎用端末     
２０１〜２２７：フローチャートの各ステップ
３０１：マーキングされた番組３０２：マーキングされた放送素材
３０３：放送素材登録ボタン  
４０１：放送素材番号入力欄  ４０２：決定ボタン
４０３：登録中である旨の表示
５０１：放送素材登録続行ボタン     ５０２：放送素材登録終了ボタン
６０１〜６１４：フローチャートの各ステップ
７０１〜７１５：フローチャートの各ステップ
８０１〜８３０：フローチャートの各ステップ
９０１：番組リスト  ９０２：入力要求メッセージ
９０３：番組番号入力欄      ９０４：決定キー
１００１：選択要求メッセージ１００２：静止画像表示ボタン
１００３：動画像表示ボタン
１２０１、１２０５：本編素材１２０２〜１２０４：ＣＭ素材
１２０６〜１２０８：ＣＭ素材１２０９：ＶＡＦ素材
１３０１：スクロールバー
１４０１〜１４１８：フローチャートの各ステップ
１５０１〜１５１１：フローチャートの各ステップ
１６０１〜１６１５：フローチャートの各ステップ
１７０１〜１７０７：フローチャートの各ステップ
【図１】
2007060240.tif 000003
【図２】
2007060240.tif 000004
【図４】
2007060240.tif 000005
【図５】
2007060240.tif 000006
【図６】
2007060240.tif 000007
【図７】
2007060240.tif 000008
【図８】
2007060240.tif 000009
【図１４】
2007060240.tif 000010
【図１５】
2007060240.tif 000011
【図１６】
2007060240.tif 000012
【図１７】
2007060240.tif 000013
【図１８】
2007060240.tif 000014
【図３】
2007060240.tif 000015
【図９】
2007060240.tif 000016
【図１０】
2007060240.tif 000017
【図１１】
2007060240.tif 000018
【図１２】
2007060240.tif 000019
【図１３】
2007060240.tif 000020